(57)【要約】【課題】従来の目盛付きベルトでは、提供されているデザインのものを使用せざるを得ず、自分の気に入ったデザインのベルトを使用して健康管理を行おうとすることはできない。【解決手段】そこで本発明では、腹囲レベルの小側から大側に至る表示を長さ方向に表した腹囲対応表示６を表面側に設けると共に、裏面側に接着層を設けたベルト貼付用帯状シート４と、このベルト貼付用帯状シートの裏面側に添着する帯状剥離シート５とから構成し、この帯状剥離シートは、ベルト貼付用帯状シートの腹囲対応表示における腹囲レベルの小側に対応する一端側を延設してメジャー部９として構成し、腹囲対応表示は、メジャー部の端部からの距離に対応させた健康管理補助用具を提案して上記課題を解決するものである。【選択図】図４
2009299203.tif 000002
【特許請求の範囲】
【請求項１】
腹囲レベルの小側から大側に至る表示を長さ方向に表した腹囲対応表示を表面側に設けると共に、裏面側に接着層を設けたベルト貼付用帯状シートと、このベルト貼付用帯状シートの裏面側に添着する帯状剥離シートとから構成し、この帯状剥離シートは、ベルト貼付用帯状シートの腹囲対応表示における腹囲レベルの小側に対応する一端側を延設してメジャー部として構成し、腹囲対応表示は、メジャー部の端部からの距離に対応させたことを特徴とする健康管理補助用具。
【請求項２】
腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成されることを特徴とする請求項１に記載の健康管理補助用具。
【請求項３】
腹囲レベル表示区画は、腹囲レベルに対応して、色を変化させたことを特徴とする請求項２に記載の健康管理補助用具。
【請求項４】
腹囲レベル表示区画は、腹囲レベルに対応して、色の濃淡を変化させたことを特徴とする請求項２又は３に記載の健康管理補助用具。
【請求項５】
腹囲レベル表示マークは、腹囲レベルに対応して表情を変化させた顔型グラフの顔マークから構成されることを特徴とする請求項２〜４までのいずれか１項に記載の健康管理補助用具。
【請求項６】
腹囲レベル表示マークは、腹囲レベルに対応して体型を変化させた体型グラフの体型マークから構成されることを特徴とする請求項２〜４までのいずれか１項に記載の健康管理補助用具。
【請求項７】
腹囲レベル表示マークは、腹囲レベルに対応して、色を変化させたことを特徴とする請求項２〜４までのいずれか１項に記載の健康管理補助用具。
【請求項８】
腹囲レベル表示マークは、腹囲レベルに対応して、色の濃淡を変化させたことを特徴とする請求項２〜４までのいずれか１項又は請求項７に記載の健康管理補助用具。
【発明の詳細な説明】
【技術分野】
【０００１】
本発明は、ズボンやスラックス、パンツ等のウエストに装着して使用するベルトの裏面側の所定位置に取り付けることにより、ベルトの使用時に腹囲（へそ周りサイズ）が計測できたり、また肥満度レベルが直感的な表示により分かり、従って健康管理に大いに役立つ健康管理補助用具に関するものである。
【背景技術】
【０００２】
肥満、とりわけ内臓脂肪型肥満を防止することは、健康維持のための重要な要件であり、例えばいわゆるメタボ検診の義務化により、最近の健康診断では、この肥満度を腹囲によって判定し、男性では８５ｃｍ以上、女性は９０ｃｍ以上の人に対して、肥満状態であると警告し、肥満を抑えるよう注意を促している。
【０００３】
このように腹囲を把握する方法としては、従来より、巻き尺等のメジャーをへそ周りに当てて行っており、したがって、常日頃、自分の腹囲を把握して、健康管理をしっかり行おうとすると、メジャーをいつも手の届くようにしておく必要がある。しかしながら、旅行等に出かけるさいには、携行するのを忘れてしまったり、あるいは荷物になって煩わしい等の問題点がある。また、メジャーで腹囲を計ること自体も忘れてしまうこともある。
【０００４】
巻き尺等によるこのような問題点を解決するものとして、例えば特許文献１では、ベルトの表裏側の全体に渡って長さ方向に目盛を設けている。
【特許文献１】特開平９−３１０２１４号公報
【発明の開示】
【発明が解決しようとする課題】
【０００５】
従来の巻き尺等のメジャーでは上述したような課題があり、また特許文献１に示すような目盛付きベルトでは、提供されているデザインのベルトを使用せざるを得ず、自分の気に入ったデザインのベルトを使用して健康管理を行おうとすることはできない。
本発明はこのような課題を解決することを目的とするものである。
【課題を解決するための手段】
【０００６】
以上の課題を解決するために，本発明では、腹囲レベルの小側から大側に至る表示を長さ方向に表した腹囲対応表示を表面側に設けると共に、裏面側に接着層を設けたベルト貼付用帯状シートと、このベルト貼付用帯状シートの裏面側に添着する帯状剥離シートとから構成し、この帯状剥離シートは、ベルト貼付用帯状シートの腹囲対応表示における腹囲レベルの小側に対応する一端側を延設してメジャー部として構成し、腹囲対応表示は、メジャー部の端部からの距離に対応させた健康管理補助用具を提案する。
【０００７】
また本発明では、上記の構成において、腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成される健康管理補助用具を提案する。
【０００８】
また本発明では、上記の構成において、腹囲レベル表示区画は、腹囲レベルに対応して、色を変化させた健康管理補助用具を提案する。
【０００９】
また本発明では、上記の構成において、腹囲レベル表示区画は、腹囲レベルに対応して、色の濃淡を変化させることを提案する。
【００１０】
また本発明では、上記の構成において、腹囲レベル表示マークは、腹囲レベルに対応して表情を変化させた顔型グラフの顔マークから構成されることを提案する。
【００１１】
また本発明では、上記の構成において、腹囲レベル表示マークは、腹囲レベルに対応して体型を変化させた体型グラフの体型マークから構成されることを提案する。
【００１２】
また本発明では、上記の構成において、腹囲レベル表示マークは、腹囲レベルに対応して、色を変化させることを提案する。
【００１３】
また本発明では、上記の構成において、腹囲レベル表示マークは、腹囲レベルに対応して、色の濃淡を変化させることを提案する。
【発明の効果】
【００１４】
本発明の健康管理補助用具では、帯状剥離シートを延設したメジャー部の端部を、ベルトのバックルの計測基点、例えばベルト本体の端部や、バックルの端部に合わせた状態でベルト本体の裏面側に添わせ、この状態において、ベルト貼付用帯状シートを帯状剥離シートから剥離して、上記状態における位置と同じ位置のベルトの裏面側に貼着する。
【００１５】
このような作業を行うことにより、自分の好みのベルトの本体の裏側に、上記計測基点からの距離に対応する腹囲対応表示を設けることができる。
【００１６】
このようなベルトを使用した場合には、使用者は、装用状態において、バックルを裏返して、上記計測基点に位置する腹囲対応表示を視認することにより、自分の腹囲レベルを知ることができる。
【００１７】
腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成すれば、目盛により腹囲を数値的に知ることができると共に、腹囲レベル表示区画内に表示された腹囲レベル表示マークにより、その腹囲レベル、又は肥満度レベルがどの段階にあるかを一目で知ることができる。
【００１８】
例えば、腹囲レベル表示マークは、腹囲レベルに対応して表情を変化させた顔型グラフの顔マークから構成したり、又は腹囲レベルに対応して体型を変化させた体型グラフの体型マークから構成すれば、表情や体型により直感的に肥満度を把握することができる。
【００１９】
これらの腹囲レベル表示マーク又はこの腹囲レベル表示マークを表している腹囲レベル表示区画自体は、腹囲レベルに対応して、色を変化させたり、又は色と共に濃淡を変化させれば、肥満度レベルがどの段階にあるかが更に直感的に一目で分かり、その直感的に感じられた安全や危険等の意識が、自分の健康維持に対する啓蒙となり、健康管理に大いに役立つこととなる。
【００２０】
そして本発明では、巻き尺等のメジャーを、別途用意する必要が無いので、健康管理を簡素化することができ、利用の可能性は非常に大である。
【発明を実施するための最良の形態】
【００２１】
次に本発明の実施の形態を、添付図面を参照して説明する。
まず図１〜図７は本発明に係る健康管理補助用具の実施の形態を示すもので、図１は利用するベルトと共に表した全体の平面説明図、図２は図１のＡ−Ａ線断面図、図３は図２の要部拡大図、図４は使用するための動作を説明するための全体の平面説明図、図５はベルト貼付用帯状シートの模式的拡大平面図、図６、図７はベルト貼付用帯状シートの他例の模式的拡大平面図である。
【００２２】
これらの図において、符号Ａは本発明に係る健康管理補助用具を示すものである。また符号２は本発明の健康管理補助用具１を利用するベルトの一例を示すもので、このベルト１はバックル２とベルト本体３とから構成されている。バックル２は、嵌合式や摩擦係合式等構成は適宜であり、またベルト本体３も、バックル２に対応して有孔式、無孔式等適宜である。
【００２３】
本発明に係る健康管理補助用具１は、ベルト貼付用帯状シート４と、帯状剥離シート５とから構成している。即ち、ベルト貼付用帯状シート４は、腹囲レベルの小側から大側に至る表示を長さ方向に表した腹囲対応表示６を表面側に設けると共に、裏面側に接着層７を設けた構成である。また帯状剥離シート５は、ベルト貼付用帯状シート４を添着する剥離部８を設けると共に、ベルト貼付用帯状シート４の腹囲対応表示６における腹囲レベルの小側に対応する一端側を延設してメジャー部９として構成している。そして、ベルト貼付用帯状シート４の腹囲対応表示６は、メジャー部９の端部からの距離に対応させて構成している。この例では、腹囲対応表示６は、腹囲レベルの小側の８０ｃｍから大側の１１０ｃｍまでの範囲を表示している。
【００２４】
以上の構成において、本発明の健康管理補助用具Ａでは、帯状剥離シート５を延設したメジャー部９の端部を、ベルト１の計測基点、例えば図に示すようにベルト本体３の端部や、又は別の形式のベルトにおいては、バックルの外側の端部に合わせた状態でベルト本体３の裏面側に添わせる。添わせる方法は、裏面側に当接して添わせても良いし、図１に示すように近接して添わせても良い。
【００２５】
この状態において、ベルト貼付用帯状シート４を帯状剥離シート５の剥離部８から剥離して、上記添わせた状態における位置と同じ位置のベルト１の裏面側に貼着する。
【００２６】
このような作業を行うことにより、自分の好みのベルト１のベルト本体３の裏側に、上記計測基点からの距離に対応する腹囲対応表示６を設けることができる。
【００２７】
このようなベルト１を使用した場合には、使用者は、装用状態において、バックル２の部分を裏返して、上記計測基点に位置する腹囲対応表示６を視認することにより、自分の腹囲レベルを知ることができる。
【００２８】
ここで、腹囲対応表示６は、例えば、図に示すように、腹囲レベルに対応する目盛１０と、適宜間隔毎の数値１１、腹囲レベルに対応して目盛区間を区切って形成した適数の腹囲レベル表示区画１２と、腹囲レベル表示区画１２内に表示した腹囲レベル表示マーク１３とから構成しており、腹囲レベルの小側の８０ｃｍから大側の１１０ｃｍまでの範囲を表示している。このように構成すれば、目盛１０及び数値１１により腹囲を数値的に知ることができると共に、腹囲レベル表示区画１２内に表示された腹囲レベル表示マーク１３により、その腹囲レベル、又は肥満度レベルがどの段階にあるかが一目で分かる。
【００２９】
例えば、腹囲レベル表示マーク１３は、図に示すように、腹囲レベルに対応して表情を変化させた顔型グラフの顔マークから構成することができる他、腹囲レベルに対応して体型を変化させた体型グラフの体型マークから構成することができ、これらの表情や体型により直感的に肥満度を把握することができる。
【００３０】
これらの腹囲レベル表示マーク１３、又はこの腹囲レベル表示マーク１３を表している腹囲レベル表示区画１２自体は、腹囲レベルに対応して、色を変化させたり、又は色と共に濃淡を変化させれば、肥満度レベルがどの段階にあるかが更に直感的に一目で分かり、その直感的に感じられた安全や危険等の意識が、自分の健康維持に対する啓蒙となり、健康管理に大いに役立つこととなる。
【００３１】
例えば図６は腹囲レベル表示マーク１３を表している腹囲レベル表示区画１２自体を、腹囲レベルに対応して、色を変化させたり、又は色と共に濃淡を変化させた状態を模式的に示す図であり、また図７は腹囲レベル表示マーク１３を、腹囲レベルに対応して、色を変化させたり、又は色と共に濃淡を変化させた状態を模式的に示す図である。
【産業上の利用可能性】
【００３２】
以上のとおり、本発明では、巻き尺等のメジャーを、別途用意する必要が無いので、健康管理を簡素化することができ、産業状の利用の可能性は非常に大である。
【図面の簡単な説明】
【００３３】
【図１】本発明に係る健康管理補助用具の実施の形態を示すもので、利用するベルトと共に表した全体の平面説明図である。
【図２】図１のＡ−Ａ線断面図である。
【図３】図２の要部拡大図である。
【図４】使用するための動作を説明するための全体の平面説明図である。
【図５】ベルト貼付用帯状シートの模式的拡大平面図である。
【図６】ベルト貼付用帯状シートの他例の模式的拡大平面図である。
【図７】ベルト貼付用帯状シートの他例の模式的拡大平面図である。
【符号の説明】
【００３４】
１          ベルト
２          バックル
３          ベルト本体
４          ベルト貼付用帯状シート
５          帯状剥離シート
６          腹囲対応表示
７          接着層
８          剥離部
９          メジャー部
１０        目盛
１１        数値
１２        腹囲レベル表示区画
１３        腹囲レベル表示マーク
【図１】
2009299203.tif 000003
【図２】
2009299203.tif 000004
【図３】
2009299203.tif 000005
【図４】
2009299203.tif 000006
【図５】
2009299203.tif 000007
【図６】
2009299203.tif 000008
【図７】
2009299203.tif 000009